Podtech/llm-jp-corpus-v4-ja_patent huggingface dataset:
(57)【要約】  【課題】押し付け機能や送り出し機能を付与するための装置を不要とし、簡潔、かつ安全、自動的、連続的に行なえ、作業効率を向上させた野菜スライス装置。  【解決手段】円筒１の中心の回転軸２で駆動される回転アーム３で結球野菜を回転させ、円筒１の環状壁１ａに取り付けたカッター４にて結球野菜をスライスする。このカッター４は対向して取り付けられた調整板５とによって、円筒の径方向に相互に位置を調整して、結球野菜Ａのスライス厚を決定できるようにしてある。【選択図】  図１
0003103847.tif 000002
【実用新案登録請求の範囲】
【請求項１】
円筒１の中心に設けた回転軸２に円筒の環状壁方向に伸びる回転アーム３が固着されており、円筒１の環状壁１ａにはカッター４が取り付けられており、前記回転アーム３と共に結球野菜Ａが円筒内を回転し前記カッターに接触してスライスされるようになっている野菜スライス装置
【請求項２】
円筒１の環状壁１ａに、円筒の径方向にスライド可能なカッター４に対向して同じくスライド可能な調整板５が間隔を有して取り付けられており、カッター４と調整板５との間隔を調整することにより、結球野菜Ａのスライス厚を決定できるようになっている請求項１に記載の野菜スライス装置
【請求項３】
回転アーム３が回転方向に間隔を有して複数本放射方向に形成されている請求項１あるいは２に記載の野菜スライス装置
【考案の詳細な説明】
【技術分野】
【０００１】
本考案は、キャベツなどの結球野菜をスライスするための業務用の装置に関するものである。
【背景技術】
【０００２】
従来は、図２に示すように、野菜１１をテーブル１２に置いて、上下動するカッタ−１３により、スライスしている。スライスを連続して行なえるようにするために、野菜は常にカッタ−１３の方向に送り出し装置１４によって送り出される。また野菜１１の姿勢を保持させるために上方に保持装置１５が組み込まれている。あるいは逆に野菜をカッターに対して往復運動させるものが存する。
【特許文献１】実公平０６−３７９１１
【特許文献２】実公平０７−３０３１３
【考案の開示】
【考案が解決しようとする課題】
【０００３】
従来技術においては、野菜あるいはカッター相互の往復運動および野菜の大小に合わせた往復ストロ−クとの関係で高速運転が困難である。仮にこれらの制約条件を無視して高速運転させた場合には、騒音やカッターの駆動系の機械的損傷などの問題が発生してしまい、スライス処理能力を高めることが技術的に困難であった。
【０００４】
そしてスライスした野菜の排出、ならびにスライスを連続して行なわせるために、野菜とカッタ−との位置関係を作り出すための送り出し装置や野菜の姿勢保持のための保持機構および装置が必要であり、また、装置が複雑なものとなるので、価格、耐久性、保守などの面でも問題がある。
【課題を解決するための手段】
【０００５】
本考案は、野菜とカッタ−との位置関係を作り出すための送り出し装置や野菜の姿勢保持のための複雑な保持機構および装置を不要とし、簡潔な装置とし、かつ安全、自動的、連続的に行なえる、作業効率を有するスライス装置を提供する。また、カッターの駆動による騒音、機械的損傷などの発生しない装置である。
そのため本考案は、キャベツなどの結球野菜を、円筒の環状面に沿って高速回転させ、結球野菜に生じる遠心力を利用して野菜を環状面に押し付け、円筒の環状壁に設置したカッタ−に接触させてスライスさせるようにした。
円筒内には、中心に回転軸を有して回転する回転アームが野菜を回転させ、円筒の環状壁に組込んだカッターにてスライスするだけなので、構造が簡単であるため廉価に製作でき、そして円筒内で作業が自動的かつ連続的に行なわれるので、安全であり、作業効率を大いに高めることができる。
【考案を実施するための最良の形態】
【０００６】
本考案を図１に示す実施例に従って説明する。
円筒１の中心には回転軸２が設けられており、この回転軸２には円筒の環状壁方向に伸びる回転アーム３が固着されている。この回転アーム３は、先端が幅広となった厚板状であり、その長さは後記する円筒内にわずか突出するカッターに接しない長さとなっている。この回転アームは放射方向に複数本形成しても良い。
【０００７】
円筒１の環状壁１ａにカッター４が取り付けられている。このカッター４に対向して調整板５も取り付けられており、円筒の径方向に両者を相互にスライドしてカッター４と調整板との間隔を調整して、結球野菜Ａのスライス厚を決定できるようになっている。
【０００８】
本考案は以上のように構成されているので、結球野菜のスライス作業をする場合は、まず調整板５にてスライス幅を決定し、円筒内に結球野菜Ａを投入する。回転軸２により回転アーム３が、図において半時計回りに高速回転し、投入された結球野菜Ａが回転アーム３と共に高速回転する。この高速回転により、結球野菜Ａには遠心力が働き円筒１の環状壁１ａの内壁に押し付けられながら回転し、環状壁の途中に設けられたカッター４を通過する度にに結球野菜Ａの周面がスライスされる。このスライス厚は、あらかじめ調整板５にて調整したスライス幅ｂとなる。スライスされた野菜は調整板５とカッター４との間より排出口６を通過して、排出される。
結球野菜Ａを連続的に投入する投入口を設けることによって、間断なくスライスすることが可能となる。
【産業上の利用可能性】
【０００９】
本考案は、キャベツ、白菜などの結球野菜に特に有利に適用できる。しかし結球野菜に限らず大根、にんじん等にも適用できる。
【図面の簡単な説明】
【００１０】
【図１】本考案装置の原理図
【図２】従来例を示す断面図
【符号の説明】
【００１１】
１      円筒
２      回転軸
３      回転アーム
４      カッタ−
５      調整板 
６      排出口
【図１】
0003103847.tif 000003
【図２】
0003103847.tif 000004
(57)【要約】【課題】  消化液としてハロンガスを使用しない環境を破壊する恐れのない消化液を使用すると共に、最後まで完全に消化液を使い尽くすこができる、しかも容器内部が消火液で腐食する恐れがない。【解決手段】  エアゾール式消火用具１０は、容器１２と、該容器内に配設され、所定の圧力で圧縮された消火液を収納した内袋１４と、該内袋の開口に取付られた固定具１８と、該固定具の先端に取付られたノズル２０とを備える。【選択図】  図１
0003103499.tif 000002
【実用新案登録請求の範囲】
【請求項１】
容器と、該容器内に配設され、所定の圧力で圧縮された消火液を収納した内袋と、該内袋の開口に取付られた固定具と、該固定具の先端に取付られたノズルとを備えるエアゾール式消火用具であって、
前記内袋は、消火液と共に空気を充填し、該空気の充填量を約１〜３グラムとした多重構成のアルミラミネートからなり、かつ前記消火液は、スルフォン酸系活性剤、液状セルローズ、ミネラル塩、エチレングリコール（冷却剤）、炭酸ナトリウム、非塩素系水を備え、かつ粘度は、４０℃で２６、０℃で６０、水素イオン濃度；８．１、表面張力；２７．５ｄｙｎｅ／ｃｍであることを特徴とするエアゾール式消火用具。
【考案の詳細な説明】
【技術分野】
【０００１】  本考案は、エアゾール式消火用具に関する。
【背景技術】
【０００２】  従来のエアゾール式消火器は、消化液としてハロンガスを使用しているので環境を破壊する恐れがある。また、容器内に消火液をそのまま収容しているので、最後まで完全に使いきれないで容器内部に消火液が残存し、また、容器内部が消火液で腐食する恐れがある。
【考案の開示】
【考案が解決しようとする課題】
【０００３】  本考案は、従来のこのような問題点を解決することを鑑みてなされたもので、その目的は、消化液としてハロンガスを使用しない環境を破壊する恐れのない消化液を使用すると共に、最後まで完全に消化液を使い尽くすこができる、しかも容器内部が消火液で腐食する恐れがないエアゾール式消火用具を提供することにある。
【課題を達成するための手段】
【０００４】請求項１に係るエアゾール式消火用具は、容器と、該容器内に配設され、所定の圧力で圧縮された消火液を収納した内袋と、該内袋の開口に取付られた固定具と、該固定具の先端に取付られたノズルとを備えるエアゾール式消火用具であって、前記内袋は、消火液と共に空気を充填し、該空気の充填量を約１〜３グラムとした多重構成のアルミラミネートからなり、かつ前記消火液は、スルフォン酸系活性剤、液状セルローズ、ミネラル塩、エチレングリコール（冷却剤）、炭酸ナトリウム、非塩素系水を備え、かつ粘度は、４０℃で２６、０℃で６０、水素イオン濃度；８．１、表面張力；２７．５ｄｙｎｅ／ｃｍであることを特徴とする。
【考案の効果】
【０００５】  本考案に係るエアゾール式消火用具によれば、消化液としてハロンガスを使用しない環境を破壊する恐れのない消化液を使用すると共に、最後まで完全に消化液を使い尽くすこができる、しかも容器内部が消火液で腐食する恐れがない。
【考案を実施するための最良の形態】
【０００６】  以下、本考案の一実施例を添付図面を参照して詳述する。
図１は、本考案に係るエアゾール式消火用具の概略図である。図２は、内袋組立体の概略図である。該図において、符号１０は、エアゾール式消火用具である。エアゾール式消火用具１０は、真ちゅうでメッキされた鋼製の容器１２と、容器１２内に挿設され、その内部に消火液を収納している内袋１４と、内袋１４の開口に取付られている固定具１８と、さらに、固定具１８の先端に取付られたノズル２０を備える。前記内袋１４は、４重構成のアルミラミネートから構成される。そして、内袋は、固定具１８に取り付けられノズルに連通する内管１６を備える。内管１６は、内袋１４の内方に向かって数ｃｍ延出している。又、内袋は、その内に所定の圧力で圧縮された空気又は窒素を収容する。気体圧縮量は、約１〜３グラムである。よって、空気又は窒素ガスが消火液と共に圧縮噴射される。充填圧力は一定に維持され、外部の圧力や温度変化に影響を受けず、充填された薬剤の９９％が噴射される。【０００７】  容器１２内部には、図２に示された４重に施され特殊加工された内袋１４が収納されており、内袋１４に消火液が保管されている。かくして、消化液が容器１２内部と直接接していないので薬剤による容器内部の変質や腐食がなく、また零下の温度においても液体が固まることがないので正常に作用する。消火液の寿命は半永久的である。また、温度が高い場所や夏の炎天下の駐車中の自動車内に保管しても安全である。【０００８】  本考案に係るエアゾール式消火用具は、噴射と同時に消火液ガスが燃焼発火地点を包み酸素を遮断すると共に、発火地点及びその周辺までも急速に冷却する作用を有する。冷却効果が優れているためにエンジンや機械等が過熱し火災及び故障の恐れがある時に使用しても破損や性能に影響を与えることはない。【０００９】  消火液の成分は、スルフォン酸系活性剤、液状セルローズ、ミネラル塩、エチレングリコール（冷却剤）、炭酸ナトリウム、非塩素系水を備え、かつ粘度；４０℃で２６、０℃で６０、水素イオン濃度；８．１、表面張力；２７．５ｄｙｎｅ／ｃｍである。この消火液は無色透明の液体で、環境に対して無害である。
【図面の簡単な説明】
【００１０】
【図１】本考案に係るエアゾール式消火用具を示す概略図である。
【図２】内袋組立体を示す概略図である。
【符号の説明】
【００１１】１０；エアゾール式消火用具
１２；容器
１４；内袋
１６；内管
１８；固定具
２０；ノズル
【図１】
0003103499.tif 000003
【図２】
0003103499.tif 000004
(57)【要約】      （修正有）【課題】ポケットに入るようなコンパクトな透明、半透明のアクリル板や樹脂板に絵柄や文字など彫刻して、これをＬＥＤ発光で照射して、その輪映の美しさ、面白さを鑑賞しての癒し効果および感動を呼ぶ、表示装置を人々に提供する。【解決手段】装置本体１に、一体に形成した上顎部２および下顎部５を設け、さらに装置本体１内部に、ＬＥＤ発光体３および小型電池４、さらにＯＮ−ＯＦＦ回路８を設ける、そしてまた上顎部２と下顎部５には、挿入着脱して使用する、彫刻透明アクリル板６を設け、これを装着固定させる、着脱手段７を設けてなる。【選択図】図６
0003103498.tif 000002
【実用新案登録請求の範囲】
【請求項１】
装置本体（１）に、一体に形成した上顎部（２）および下顎部（５）を設け、さらに装置本体（１）内部に、ＬＥＤ発光体（３）および小型電池（４）、さらにＯＮ−ＯＦ回路（８）を設ける、そしてまた上顎部（２）と下顎部（５）には、挿入着脱して使用する、彫刻透明アクリル板（６）を設け、これを装着固定させる、着脱手段（７）を設けてなる、ＬＥＤ発光表示装置。
【考案の詳細な説明】
【技術分野】
【０００１】  本考案は、彫刻等を施したポケットに入る小型透明板にＬＥＤ発光を照射して、絵柄や字等を浮き出させて、楽しく鑑賞する遊び感覚の表示装置に関するものである。
【背景技術】
【０００２】  従来、このような構造に類するものは、特開２０００−３４８５の面発光体及びそれを用いた表示装置、として見られるが、光源体を透明アクリル板の凹所に、挿着させる構造構成として形成されている。また技術使用目的は道路標識の夜間照明用の視認性を特徴とした表示装置あるいは夜間の各種広告看板に利用される比較的大きな表示装置である。また、遊び感覚としての携帯電話用のイルミネーション発光装置等がある。
【考案の開示】
【考案が解決しようとする課題】
【０００３】  このように従来、ＬＥＤ光源体を利用したものはいろいろあるが、各種の標識、広告看板等は夜間の視認性を主体とするので、比較的に大きくする事になり、利用ジャンルも工業商業の産業製品とされ、構造も異なり価格も高くなる。また、携帯電話その他の商品の遊び感覚に利用される、小さなランプとしての発光体そのものがある。ほとんど製品専用に作られており、多目的に使用される形態のものは皆無であった。
本考案は、このような問題を改善する為になされたものである。
【課題を解決するための手段】
【０００４】  光を発する構造体としての、装置本体（１）に、上顎部（２）および下顎部（５）を前記本体に、一体に形成して設ける。さらにこの装置本体（１）の内部に、ＬＥＤ発光体（３）と通称ボタン電池と呼ばれている、小型電池（４）を電源として設ける。そしてさらに、これらを電子制御するＯＮ−ＯＦ回路（８）を設ける。
この電源は時計等に内蔵されている、超小型太陽電池等を使用するとベストである。【０００５】  また、上顎部（２）と下顎部（５）には、挿入差込みした彫刻透明アクリル板（６）を設ける。この前記顎部は多様な、着脱手段（７）を具備して、多彩に設けられている。つまり前記アクリル板を、この着脱手段（７）は前記顎部に確実に固定し、また簡単に取り外せるように構成された、脱着クランプとして設ける。
本考案は、以上のような構成よりなるＬＥＤ発光表示装置である。
【考案の効果】
【０００６】  本考案は、透明および半透明のプラスチック板に、絵、文字そして、これらを立体にした物を刻み、これに照明をあてて輪映を利用したので、絵柄等の変化による、面白さ、楽しさ、美しさが倍増し、利用者の心を大きく癒すものである。
また、ポケットサイズの手軽さもあり、キーホルダーや電話、財布、定期ケース等、各種ストラップ等、そしてファションブローチ等への使用用途は広く、オシャレファンタジックな感覚で普及が期待される。
【考案を実施するための最良の形態】
【０００７】  本考案はアクリル板等のプラスチック板に対して、脱着可能に固着させるために、装置本体（１）に、上顎部（２）および下顎部（５）を一体に形成して設ける。この装置本体（１）の内部にＬＥＤ発光体（３）と超小型太陽電池等含めての、小型電池（４）を電源として設ける。そしてこれらを電子制御する、つまりＯＮ−ＯＦＦスイッチを中心に、照射光の強弱や、光カラー変更等いろいろ制御出来る、ＯＮ−ＯＦＦ回路（８）を設ける。このように装置本体（１）には、発光するためのいろいろな手段が具備されており、この発光の効果を１００％発揮するために、さらに彫刻透明アクリル板（６）を装置本体（１）に設ける。この前記アクリル板は前記上下の顎部に設けられた、着脱手段（７）により確実に固着し、また取り外すことが容易に出来る。【０００８】  この着脱手段（７）には、いろいろな着脱クランプとして具備しており、これらは図面に示すように、多様な形態を様している。図６のごとくソケット爪式の着脱手段（７）図７はフタ圧力止め式の着脱手段（７）、図８はネジ止式の着脱手段（７）等、その他着脱させないで、ボンド等で固定しても良い。また、前記アクリル板と装置本体（１）とは一体に形成した、着脱手段（７）を持たないものもある。【０００９】  この他に図９のごとく前記アクリル板に工夫を施したものも多数あり、例えば、動物キャラクターに形取ったものを、前記アクリル板に差込着設して使っても良い。【００１０】  本考案は、以上のような構成であり、これを使用する時には、自分の好みの彫刻透明アクリル板（６）を選び、これに上記説明のごとく、すべて具備された装置本体（１）を装着して、電源スイッチをＯＮにすれば、装置本体（１）のＬＥＤ発光体（３）が、イルミネーションのごとく輝き発光する。これをブローチ等の装飾品として、また携帯電話や財布、定期入れ、バッグ等のストラップとして、キィーホルダー等としてその他多目的に利用できる。メーカーも、あらゆる分野利用に、新製品開発が広げられる。
【図面の簡単な説明】
【００１１】
【図１】    本考案の文字タイプの斜視図である。
【図２】    本考案のキャラクタータイプの斜視図である。
【図３】    本考案のブローチタイプの斜視図である。
【図４】    本考案のキーホルダータイプの斜視図である。
【図５】    本考案のストラップタイプの斜視図である。
0003103498.tif 000003
【図９】    本考案の工夫枠を広げた実例説明図である。
【符号の説明】
【００１２】    １  装置本体
２  上顎部
３  ＬＥＤ発光体
４  小型電池
５  下顎部
６  彫刻透明アクリル板
７  着脱手段
８  ＯＮ−ＯＦＦ回路
【図１】
0003103498.tif 000004
【図２】
0003103498.tif 000005
【図３】
0003103498.tif 000006
【図４】
0003103498.tif 000007
【図５】
0003103498.tif 000008
【図６】
0003103498.tif 000009
【図７】
0003103498.tif 000010
【図８】
0003103498.tif 000011
【図９】
0003103498.tif 000012
(57)【要約】      （修正有）【課題】カップ麺の蓋が良く密着し、砂時計を見ながら即席カップ麺の出来上がり時間を楽しく計れ、出来上がりを待つ時間も遊び心を味わえる即席カップ麺料理補助具を提供する。【解決手段】木製及びアクリル製の重し蓋１の中央に磁石５を埋め込み木製及びアクリル製の砂時計２の上下部に磁石３・４を埋め込んで接合及び取り外しができるようにした。【選択図】図３
0003103497.tif 000002
【実用新案登録請求の範囲】
【請求項１】
木製及びアクリル製の重し蓋の中央部に磁石を埋め込み、木製及びアクリル製の砂時計の上下部にも磁石を埋め込んで接合及び取り外し出きる様にし、即席カップ麺の蓋の密着を良くし、同時に即席カップ麺の出来上がり時間を計れる即席カップ麺料理補助具セット。
【考案の詳細な説明】
【考案の開示】
【考案が解決しようとする課題】
【０００１】従来即席カップ麺の蓋の重し、と時間を同時に計測する器具がなかった。
【課題を解決するための手段】
【０００２】上記目的を達成するために、即席カップ麺の蓋の大きさに木製及びアクリル製で、重し蓋を製作しその中央部に磁石を利用して砂時計を接続及び取り外しが出きるようにし、蓋の重し、と時間の計測を同時に行なえる様にした。
（なお砂時計は重し蓋のツマミ部となります）
【考案を実施するための最良の形態】
【０００３】以下、本考案の実施の形態を説明する。
（イ）木製やアクリル製からなる即席カップ麺の重し蓋になる円板（１）の中央部に磁石を設ける。
（ロ）木製やアクリル製からなる砂時計（２）の上下部に磁石を設ける。
本考案は以上の構成よりなる。
本考案の使用方法は即席カップ麺の蓋の上に重し蓋（１）を乗せその中央部の磁石に砂時計を接続する。
【考案の効果】
【０００４】カップ麺の蓋が良く密着し、砂時計を見ながら即席カップ麺の出来上がり時間を楽しく計れ、出来上がりを待つ時間も遊び心を味わえます。
【図面の簡単な説明】
【０００５】
【図１】木製及びアクリル製の重し蓋の斜視図である。
【図２】木製及びアクリル製の砂時計斜視図である。
【図３】重し蓋と砂時計の接合した断面図である。
【図４】重し蓋Ａ−Ａ断面図である。
【図５】砂時計Ｂ−Ｂ断面図である。
【符号の説明】
【０００６】      １  木製及びアクリル製の重し蓋
２  木製及びアクリル製の砂時計
３  磁石
４  磁石
５  磁石
【図１】
0003103497.tif 000003
【図２】
0003103497.tif 000004
【図３】
0003103497.tif 000005
【図４】
0003103497.tif 000006
【図５】
0003103497.tif 000007
(57)【要約】【課題】風邪、花粉のシーズンにはマスクをすることが多いが、装着していることが一目瞭然であり、周囲の人から「風邪をうつされるのではないか」等、いやがられる場合がある。本考案は、この課題を解消するためになされたものである。【解決手段】口、鼻の写真が印刷された布２をマスク１に添付し、覆ってしまった口、鼻を外部から見たときにあたかも覆っていないかのような視覚効果が得られるようにした。【選択図】図１
0003103494.tif 000002
【実用新案登録請求の範囲】
【請求項１】
口、鼻を覆うマスクに添付された口、鼻の写真が印刷されている布。
【考案の詳細な説明】
【技術分野】
【０００１】本考案は、口、鼻を覆うマスクに口、鼻の写真が印刷された布が添付されたマスクであり、マスクを装着してることを判別しにくくしたものである。
【背景技術】
【０００２】従来のマスクでは口、鼻を覆ってしまうため、マスクを装着しているが一目瞭然であった。
【考案の開示】
【考案が解決しようとする課題】
【０００３】風邪、花粉のシーズンにはマスクをすることが多いが、装着していることが一目瞭然であり、周囲の人から「風邪をうつされるのではないか」等、いやがられる場合がある。本考案は、この課題を解消するためになされたものである。
【課題を解決するための手段】
【０００４】口、鼻の写真が印刷された布２をマスク１に添付し、覆ってしまった口、鼻を外部から見たときにあたかも覆っていないかのような視覚効果が得られるようにした。
【考案の効果】
【０００５】風邪、花粉のシーズンにマスクをしていても、装着していることが外部から見たときに判断し辛くなったので、周囲の人から「風邪をうつされるのではないか」等、いやがられることが非常に少なくなる。
【実施例】
【０００６】図１は口、鼻の写真が印刷された布２をマスク１に添付したものを装着している一例である。
図２は口、鼻の写真が印刷された布２をマスク１に添付したものの正面図である。
【産業上の利用可能性】
【０００７】本考案は、風邪、花粉のシーズンにマスクをしていても、装着していることが外部から見たときに判断し辛くなり、周囲の人から「風邪をうつされるのではないか」等、いやがられることが非常に少なくなるので、マスク装着を躊躇している人も気兼ねなく装着することが可能である。
【図面の簡単な説明】
【０００８】
【図１】本考案の口、鼻の写真付きマスクを装着したときの図である。
【図２】本考案の口、鼻の写真付きマスクの正面図である。
【符号の説明】
【０００９】１  マスク
２  口、鼻の写真が印刷された布
【図１】
0003103494.tif 000003
【図２】
0003103494.tif 000004
(57)【要約】      （修正有）【課題】片マヒの患者や片手を無くした人々がきき手で車椅子のハンドルを操作する事により、手軽に車椅子の前進、後退、旋回等、自由な行動が出来るようにした、片マヒ患者用のハンドル駆動式車椅子の提供。【解決手段】車椅子１に取り付けられたＡ主車輪２,Ｂ主車輪９に圧接車４を圧接し、その圧接車に接続されたラチェット機構５をハンドル操作により操作し圧接車とＡ主車輪,Ｂ主車輪との間に生ずる摩擦力により、車椅子を動かす事が出来るようにしたハンドル駆動式車椅子である。【選択図】図２
0003103469.tif 000002
【実用新案登録請求の範囲】
【請求項１】
主車輪に駆動用圧接車を圧接し、その圧接車をラチェット機構（正転、逆転の設定可能な回転ギヤー）付、ハンドルの操作で回転させる事により、その摩擦力により、主車輪を回転させて、車椅子全体を前進、後退、旋回させる事が出来るようにした、ハンドル駆動式車椅子。
【考案の詳細な説明】
【考案の詳細な説明】
【介護活動上の利用分野】
片マヒ患者が片手だけの操作で自由に移動が出来、生活範囲の拡大が出来る。
【従来の車椅子】
片マヒ患者用車椅子は動力式が中心で、車体が大きく、重く、又非常に高価で使用勝手が悪い。
【考案が解決しようとする課題点とその方法】
本案の車椅子は、従来の車椅子のような重厚な方式の車椅子でなく片マヒ患者が操作可能な片手でハンドルを操作することで、その先端に付けられた圧接車で主車輪を動かすことが出来るようにした手軽でコンパクトな車椅子である
図によって説明すれば
本体▲１▼に取り付けられたＡ主車輪▲２▼に▲５▼のラチェット付ハンドル▲３▼にて▲４▼の圧接車を回転させる、その圧接力（摩擦力）で前進後退を行う、又旋回に対しては、▲９▼Ｂ主車輪に連結された▲８▼のＢ主車輪シャフトと▲２▼Ａ主車輪の▲６▼Ａ主車輪シャフトとを▲１０▼の駆動伝達用スライダーを▲１１▼の矢印のごとく、点線部分より斜線部分に移動することにより、▲２▼のＡ主車輪は切り離され、単独で動くこの事により、▲９▼のＢ主車輪は停止▲２▼のＡ主車輪は動く、したがって、車椅子は▲９▼のＢ主車輪を中心に旋回することになる。
【考案の効果】
片マヒ患者の生活範囲を広げる事が出来る
【図面の簡単な説明】
【図１】本考案の側面図
【図２】本考案の正面図
【符号の説明】
▲１▼本体▲２▼Ａ主車輪▲３▼ハンドル▲４▼圧接車▲５▼ラチェット▲６▼Ａ主車輪シャフト▲８▼Ｂ主車輪シャフト▲９▼Ｂ主車輪▲１０▼駆動伝達スライダー
【図１】
0003103469.tif 000003
【図２】
0003103469.tif 000004
(57)【要約】      （修正有）【解決手段】磁石を靴下の底部に取り付ける。【効果】靴下底部に磁石を取り付けることにより、足の血流の促進、ツボ刺激による指圧ができるようにした。【選択図】図１
0003103463.tif 000002
【実用新案登録請求の範囲】
【請求項１】
底部に磁石の付いた靴下。
【考案の詳細な説明】
【技術分野】
【００１】この考案は、円柱の磁石を底部いたるところに取り付けた靴下に関するものである。
【背景技術】
【００２】従来、靴下には磁石が付いていなかった。
【考案の開示】
【考案が解決しようとする課題】
【００３】これは、次のような問題点があった。
長時間の立ち仕事や営業活動などで、足に疲労が溜まり血流が滞りがちであった。
本考案は、以上のような欠点をなくすためになされたものである。
【課題を解決するための手段】
【００４】靴下底部いたるところに円形磁石を取り付ける。
以上の構成によりなる靴下である。
【考案の効果】
【００５】磁石を取り付けることにより足裏の血流が促進され、又ツボ刺激となり指圧にも効果的である。
【図面の簡単な説明】
【００６】
【図１】靴下底部に磁石を取り付けた側面図である。
【図２】靴下底部ツボの部分に磁石を取り付けた底面図である。
【符号の説明】
【００７】１．靴下本体
２．磁石
３．磁気遮断物質
４．縫い目
【図１】
0003103463.tif 000003
【図２】
0003103463.tif 000004
(57)【要約】【課題】  緩衝効果を保持しつつ、内容物であるバラ状緩衝材と小分け袋を同類材質とし、分別作業することなくリサイクルを可能とする。【解決手段】  内容物であるバラ状緩衝材と、それを封入する小分け袋とを同類材質にすることにより、緩衝効果を損なわず、その使用後のリサイクル処理に際しても、何ら分別作業することなく、リサイクル資源としての再利用を可能とした。【選択図】  図１
0003103468.tif 000002
【実用新案登録請求の範囲】
【請求項１】
発泡スチロール製バラ状緩衝材を小分け袋に入れて、分包した袋入り緩衝材とするに際し、内容物の発泡スチロール製バラ状緩衝材と同類材質のポリスチレンフィルムを用いて袋を形成し、或いは袋を形成しつつバラ状緩衝材を小分け袋に入れ、加熱融着等により、袋開口部を封止して作成された袋入り緩衝材。
【請求項２】
生分解性材料によるバラ状緩衝材を小分け袋に入れて、分包した袋入り緩衝材とするに際し、内容物の生分解性材料によるバラ状緩衝材と同類材質の生分解性フィルムを用いて袋を形成し、或いは袋を形成しつつバラ状緩衝材を小分け袋に入れ、加熱融着等により、袋開口部を封止して作成された袋入り緩衝材。
【考案の詳細な説明】
【技術分野】
【０００１】  本考案は、主として物流保管時における容器内の被包装物（物品）を、衝撃から保護するための緩衝材に関するものであり、その使用後の処理に際して、分別することなくリサイクル処理に対処可能な緩衝材に関するものである。
【背景技術】
【０００２】  バラ状緩衝材として、発泡スチロール製によるものが緩衝性能、経済性等の観点から一般に多く使用されている。【０００３】  しかし、発泡スチロール製によるバラ状緩衝材は、その使用時において、バラ状であるが故に容器内全体に充填しなければならず、必要部分だけを緩衝すれば良いという場合には不経済であり、充填作業時や解梱作業時に散らかることも多く、その回収に手間がかかり、作業効率を低下せしめ、作業環境や経済性も悪くするという問題点がある。【０００４】  その解決策として、発泡スチロール製バラ状緩衝材を必要寸法大のポリエチレン袋に小分けした、袋入り緩衝材が提供されているが、内容物のバラ状緩衝材はポリスチレン、袋はポリエチレンと、異質な素材を材料とするので、その使用後における処分は、焼却又は埋め立て処分されている。しかし、焼却処分には排出ガスによる環境破壊、埋め立て処分には処分地の不足等という問題点がある。【０００５】  また使用後の処分を考慮して、生分解性樹脂を材料とするポリエチレン袋入りバラ状発泡緩衝材が提供されているが、使用時、使用後には上記バラ状緩衝材と同様の問題点を有している。【０００６】  そして、近年の環境や資源保護を考慮して、リサイクル対応しやすい素材を材料としたものへの要求、関心が高まっている。
【考案の開示】
【考案が解決しようとする課題】  解決しようとする問題点は、内容物であるバラ状緩衝材と、それを封入する小分け袋が異なる材質の材料で生産され、リサイクル対応するには分別作業が不可避であるという点である。
【課題を解決するための手段】
【０００７】  本考案は、内容物である発泡スチロール製、或いは生分解性材料によるバラ状緩衝材と、それを封入する小分け袋とを、同類材質のポリスチレンフィルム、或いは生分解性フィルムとすることにより、分別作業することなくリサイクル対応が可能としたことを最も主要な特徴とする。
【考案の効果】
【０００８】  本考案の袋入り緩衝材は、内容物である発泡スチロール製、或いは生分解性材料のバラ状緩衝材と、それを封入する小分け袋とを、同類材質のポリスチレンフィルム或いは生分解性フィルムによる袋入り緩衝材としたので、緩衝性能も損なわず、その使用後においても何ら分別することなくリサイクル対応できるという利点がある。
【考案を実施するための最良の形態】
【０００９】  発泡スチロール製、或いは生分解性材料によるバラ状緩衝材と、それを封入する小分け袋とを、同類材質のポリスチレンフィルム、或いは生分解性フィルムとした袋入り緩衝材とすることにより、緩衝効果も損なわず、使用後のリサイクル対応にも何ら分別することなく経済的に対処できるものとした。
【実施例１】実施例については、ポリスチレン素材を使用したものについて例示を持って説明する。【００１０】  図１は、ポリスチレン素材による発泡スチロール製バラ状緩衝材を、同じくポリスチレンフィルムの透明な小分け袋に入れて、投入口を過熱融着により封止した袋入り緩衝材の略斜視図である。【００１１】  図２は、物品とそれを収納する外装ケースの間にあって、物流時における衝撃を緩和する為、必要部位に袋入り緩衝材を配置した状態を示す上面断面図である。
【産業上の利用可能性】
【００１２】  物流保管時における物品を保護する緩衝性能は従来どおり変わらず、その使用後においても、同類材質の内容物であるバラ状緩衝材と、それを封入する小分け袋とで構成されているので、分別作業をすることなく処理でき、資源及び環境保護に役立ち、そのリサイクルにも経済的に対応できる。
【図面の簡単な説明】
【００１３】
【図１】発泡スチロール製バラ状緩衝材（１）を、同類材質のポリスチレンフィルムによる透明な小分け袋（２）に入れて加熱融着封止（３）した状態を示した斜視図である。（実施例１）
【００１４】
【図２】袋入り緩衝材（４）を外装ケース（６）と物品（５）との間に配置した状態を示す上面断面図である。（実施例２）
【符号の説明】
【００１５】  １  発泡スチロール製バラ状緩衝材
２  ポリスチレンフィルムによる透明な小分け袋
３  加熱融着封止部
４  袋入り緩衝材
５  物品
６  外装ケース
【図１】
0003103468.tif 000003
【図２】
0003103468.tif 000004
(57)【要約】      （修正有）【課題】自動車の運転者から見て、夜間視認性が良いだけでなく昼間も視認性の良い再帰反射器の提供。【解決手段】夜間十分に視認することができる無着色で表面が透明な反射効率の高い再帰反射板２と、昼間でも十分に視認することができる黄色又は橙色に近い黄色に見える再帰反射板１が、同じ平面上に配置される。この二種類の反射板で構成される再帰反射器は、自動車の運転者に正対した位置に設置される。【選択図】図１
0003103466.tif 000002
【実用新案登録請求の範囲】
【請求項１】
危険な場所や駐車場の出入り口等の注意すべきところを自動車の運転者に認識させる目的で設置される視線誘導標等の再帰反射器において、同一方向から見て、無着色で表面が透明な再帰反射効率の高い再帰反射板と、黄色や橙色に近い黄色に見える再帰反射板が同時に視認できるよう配置されたことを特徴とする再帰反射器。
【考案の詳細な説明】
【技術分野】
【０００１】本考案は、反射材を利用した視線誘導標や、自動車の運転者に注意を促す目的で設置される反射器に関する。
【背景技術】
【０００２】従来この種の技術としては、無着色で表面が透明な再帰反射器や、黄色の再帰反射器、必要な場所に黄色の反射テープを貼るなどの方法が知られている。
【考案の開示】
【考案が解決しようとする課題】
【０００３】無着色で表面が透明な再反射器は自動車ヘッドライトの光を効率よく反射するため、夜間など周りが暗い条件のとき視認性がよく、自動車の進行方向左の路肩を示す視線誘導標などに多数使用されている。【０００４】しかし、無着色で表面が透明な再帰反射器は、昼間は視認されにくい。【０００５】したがって、自動車の運転者に特に注意を促したい場所においては、昼間の視認性をよくするために、無着色で表面が透明な再反射器とは別に黄色の再帰反射器が設置されている。【０００６】従来の無着色で表面が透明な再帰反射器とは別に黄色の再帰反射器を設置する方法は、煩雑であるだけでなく、駐車場の出入り口等設置場所に制限のある場合には設置しにくい欠点があった。【０００７】本考案は、自動車の運転手から見て昼夜を問わず視認しやすく、設置するのが容易な再帰反射器を安価に提供しようとするものである。
【課題を解決するための手段】
【０００８】本考案における視線誘導標等の再帰反射器は、同一方向から見て無着色で表面が透明な反射効率の高い再帰反射板と、黄色又は橙色に近い黄色に見える再帰反射板が同時に視認できるように配置されている。【０００９】無着色で表面が透明な再帰反射板と、黄色又は橙色に近い黄色に見える再帰反射板の、形・大きさ・配列は、使用場所の条件や使用目的によって変えることができる。
【考案の効果】
【００１０】自動車の運転者に、道路の曲がり具合などを知らせ注意を促す目的で進行方向左に設置される視線誘導標や、夜や暗い条件の場所で危険な箇所を運転者に注意させる目的で設置される再帰反射器には、無着色で表面が透明な物が多く使用されてきた。無着色で表面が透明な再帰反射器は反射効率が良く、夜間自動車の運転手から視認されやすい。しかし、自動車が道路の路肩からはみ出したりはみ出しそうになったことがきっかけで起きる事故は、夜だけでなく明るい時間帯にも発生している。注意散漫な状態で自動車を運転し、立木や道路外の構造物など、固定された物に接触する事故も同様に、夜だけでなく明るい時間帯にも発生している。【００１１】本考案による再帰反射器は、無着色で表面が透明な再帰反射板と黄色又は橙色に近い黄色に見える再帰反射板によって構成されるので、無着色で表面が透明な再帰反射板だけの物に比べて昼間の視認性がよく、明るい時間帯に自動車の運転者に注意を促すことができる。【００１２】無着色で表面が透明な再帰反射板と、黄色又は橙色に近い黄色に見える再帰反射板の大きさや配置は、容易に変えて製作できるので、設置場所の条件に対応しやすい。たとえば、自動車の運転者に昼間に特に注意を促したい場合は、黄色又は橙色に近い黄色に見える再帰反射板の割合を増やせばよい。【００１３】本考案による再帰反射器は、無着色で表面が透明な再帰反射板が自動車のヘッドライトの光を効率よく反射するだけでなく、黄色又は橙色に近い黄色に見える再帰反射板が、無着色の再帰反射板とは違う色でヘッドライトの光を反射するので、夜間自動車の運転者が視認しやすい。【００１４】本考案による再帰反射器は昼も夜も視認しやすいので、従来のように無着色で表面が透明な再帰反射器とは別に黄色又は橙色に近い黄色に見える再帰反射器を取り付けるといった、複数個の再帰反射器を取り付ける方法に比べて、取り付ける場所や手間を減らすことができ、安価に設置することが可能となるばかりでなく、駐車場の出入り口等設置場所が狭いところでも設置しやすい。
【考案を実施するための最良の形態】
【００１５】図１において、１は黄色又は橙色に近い黄色に見える再帰反射板である。再帰反射板は平面であり、自動車の運転者に正対するよう取り付けられる。設置場所の条件によっては、対向車の運転者から視認できるようこの再帰反射板の裏面に別の再帰反射板を取り付けたり、横から視認できるよう適当な角度で再帰反射板を取り付けるなど、複数枚取り付けても良い。【００１６】図１の２は、無着色で表面が透明な再帰反射板である。上記同様に、設置場所の条件によっては、裏面や横にも複数枚取り付けても良い。【００１７】図１では地面にたてた形であるが、駐車場の壁面などに取り付けられるように板状に作っても良い。
【産業上の利用可能性】
【００１８】道路や駐車場の出入り口などに取り付け、自動車の運転者に危険な個所を知らせ注意を促すことができる。
【図面の簡単な説明】
【００１９】
【図１】本考案の実施例を示す再帰反射器を正面から見た図である。
【符号の説明】
【００２０】  １  黄色又は橙色に近い黄色に見える再帰反射板。
２  無着色で表面が透明な再帰反射板。
３  再帰反射板を取り付ける柱状の物。
【図１】
0003103466.tif 000003
(57)【要約】【課題】  物置篭の両側を支持枠にある係止枠に嵌め込んで固定するだけでよく、組立と分解とが極めて便利であり生産コストが大幅に低減でき、全ての部材が分解して包装できて包装した状態の体積が縮小でき、運輸コストを更に低減できる物置棚の構造を提供する。【解決手段】  二つの対称である支持枠２と複数の物置篭３とから構成される物置棚の構造において、対称である支持枠２には係止枠２１が対称で別々に設けてあり、前記係止枠２１に嵌め込んで物置篭３を固定するために各物置篭３の前記係止枠２１と対応する箇所には係合枠３１が設けてあり、また、前記支持枠２のチューブ径２２とぴったりと合わせるために、前記物置篭３の上枠の四つの角部が円弧状に加工されていることを特徴とする物置棚の構造である。【選択図】    図１
0003103412.tif 000002
【実用新案登録請求の範囲】
【請求項１】
二つの対称である支持枠と、複数の物置篭とから構成される物置棚の構造において、
対称である支持枠には係止枠が対称で別々に設けてあり、前記係止枠に嵌め込んで物置篭を固定するために各物置篭の前記係止枠と対応する箇所では係合枠が設けられていることを特徴とする物置棚の構造。
【請求項２】
前記支持枠のチューブ径にぴったりと合わせるために、前記物置篭の上枠の四つの角部が円弧状に加工されていることを特徴とする請求項１に記載の物置棚の構造。
【考案の詳細な説明】
【技術分野】
【０００１】
本考案は物置棚の構造に係り、特にスチールチューブ製家具に適用でき、品物が分類して各物置篭に収納でき、靴をも収納でき、室内外にも使用できる物置棚の構造に関する。
【背景技術】
【０００２】
目下、市販されている物置棚の構造は、物置篭を多層に組立てて構成されるものが多く、ある物置篭は保護筐体を四辺に囲んで成すものであり、保護筐体を構成する金属ワイヤを所望の形状に曲げてからスポット溶接により対応する箇所に接合する。スポット溶接はロボットによって実施することが多いので、長手方向にある溶接点を溶接した後、また縦方向にある溶接点を溶接することが必要であるので、もう一つ生産ラインおよび設備を増設することが必要になり、生産コストが増加する。
また、物置篭を掛ける支持枠には物置篭と係合するための機構や部品を設置することが必要なので、生産コストが増加し、製品の競争力が降下する。
【考案の開示】
【考案が解決しようとする課題】
【０００３】
本考案の主な目的は、物置篭の両側を支持枠にある係止枠に嵌め込んで固定するだけでよく、組立と分解とが極めて便利であり、且つ生産コストが大幅に低減できる物置棚の構造を提供することである。
本考案の次な目的は、全ての部材が分解して包装でき、包装した状態の体積が縮小でき、運輸コストを更に低減できる物置棚の構造を提供することである。
【課題を解決するための手段】
【０００４】
上記目的を達成するためになされた本考案の物置棚の構造は、主に、二つの対称である支持枠と複数の物置篭とから構成される物置棚の構造において、対称である支持枠には係止枠が対称で別々に設けてあり、前記係止枠に嵌め込んで物置篭を固定するために、各物置篭の前記係止枠と対応する箇所には係合枠が設けてあることを特徴とする物置棚の構造であることを要旨としている。
また、本考案の物置棚の構造では、前記支持枠のチューブ径とぴったりと合わせるために、前記物置篭の上枠の四つの角部が円弧状に加工されていることを特徴とする請求項１に記載の物置棚の構造であることを要旨としている。
【考案を実施するための最良の形態】
【０００５】
この考案に係る物置棚の構造によれば、次のような効果がある。
（イ）物置篭の両側を支持枠にある係止枠に嵌め込んで固定するだけでよいので、組立と分解とが極めて便利であり、且つ生産コストが大幅に低減できる。
（ロ）全ての部材が分解して包装できるので、包装した状態の体積が縮小でき、運輸コストを更に低減できる。
【０００６】
以下、添付図面を参照して本考案の好ましい第一実施例による物置棚の構造を詳細に説明する。
まず、図１乃至図３を参照する。この考案の実施例による物置棚の構造は、主に、二つの対称である支持枠２と、複数の物置篭３とから構成され、対称である支持枠２には係止枠２１が対称で別々に設けてあり、前記係止枠２１に嵌め込んで物置篭３を固定するために、各物置篭３の前記係止枠２１と対応する箇所には係合枠３１が設けてあり、また、前記支持枠２のチューブ径２２とぴったりと合わせるために、前記物置篭３の上枠３２の四つの角部が円弧部３２１に加工されている。そのようにすると、図４に示すように物置篭を多層に組立てることができ、組立作業に便利であり、且つ生産コストも低減できる。
【０００７】
また、図５を参照する。係止枠２１’を所定の傾斜角度で当該支持枠２に接合してもよく、そのようにすると物置篭３を組立てた後物置篭３が所定角度に傾斜し、例えば靴などのものを放置することもでき、使用法が多様化できる。
また、図４および図６を参照する。当該物置篭３の筐体は網状物３３を利用して、図４に示すように、それらの網状物３３を接合することにより放置するものが落下しない。また図６に示すように、当該物置篭３’を金属ワイヤ製枠３３’により作製してもよく、使用法が多様化できる。
【図面の簡単な説明】
【０００８】
【図１】本考案の第一実施例による物置棚の構造の一部を示す分解斜視図である。
【図２】図１における部材を組立てた状態を示す外観斜視図である。
【図３】図２の断面図である。
【図４】本考案の第一実施例による係る物置棚の構造を示す外観斜視図である。
【図５】本考案の第二実施例による係る物置棚の構造を示す外観斜視図である。
【図６】本考案の第三実施例による係る物置棚の構造を示す外観斜視図である。
【符号の説明】
【０００９】
２  支持枠、２１  係止枠、２２  チューブ径、２１’  係止枠、３  物置篭、  ３１  係合枠、３２  上枠  ３２１  円弧部、３３  網状物、３’  物置篭、３３’  金属ワイヤ製枠
【図１】
0003103412.tif 000003
【図２】
0003103412.tif 000004
【図３】
0003103412.tif 000005
【図４】
0003103412.tif 000006
【図５】
0003103412.tif 000007
【図６】
0003103412.tif 000008
(57)【要約】【課題】  通気性が高くて変形しないメッシュ付きブラコップを提供する。【解決手段】  この考案に係るメッシュ付きブラコップは、一ブラコップ本体１と、複数のメッシュ層２とから構成され、ブラコップ本体１の前後面にはメッシュ層２が貼り付けてある。これにより、通気性が高くて洗濯しても変形しなく、且つ使用者が本考案に係るメッシュ付きブラコップをブラジャー３のブラコップマスク３１に入れると、ブラジャー全体の美感が向上する。ブラコップ本体１とメッシュ層２との間には、より薄いスポンジ層を設けることも可能である。スポンジ層の使用及びメッシュ層２の貼り付けにより、ブラコップ本体１の保護層としての効果が向上する。且つメッシュ付きブラコップをブラジャー３にあるブラコップマスク３１に入れると、胸が上へ支えられるので、美観が向上する。【選択図】    図３
0003103411.tif 000002
【実用新案登録請求の範囲】
【請求項１】
ブラコップ本体と、複数のメッシュ層とから構成され、前記ブラコップ本体の前後面にはメッシュ層が貼り付けてあることを特徴とするメッシュ付きブラコップ。
【請求項２】
前記ブラコップ本体とメッシュ層との間には、より薄いスポンジ層を設けることが可能であることを特徴とする請求項１に記載のメッシュ付きブラコップ。
【考案の詳細な説明】
【技術分野】
【０００１】
本考案は、通気性が高くて変形しないメッシュ付きブラコップに関する。
【背景技術】
【０００２】
ブラコップは、ブラジャーを支え着用の快適性を向上するために使用されるものであり、従来のブラコップはスポンジ製のものが多い。
【考案の開示】
【考案が解決しようとする課題】
【０００３】
しかしながら、よく使用されるスポンジ製のブラコップは、素材が軽くて着用の快適性を向上可能であるが、洗濯するときに、外力による絞りが原因で、スポンジが変形し易く、ブラコップの全体の形体を失ってしまう。
【０００４】
したがって本考案の目的は、通気性が高くて変形しないメッシュ付きブラコップを提供することにある。
【課題を解決するための手段】
【０００５】
上述の目的を達成するために本考案の請求項に記載のメッシュ付きブラコップは、一ブラコップ本体と、複数のメッシュ層とから構成され、前記ブラコップ本体の前後面にはメッシュ層が貼り付けてあることを特徴とする。
【０００６】
また、前記ブラコップ本体とメッシュ層との間には、より薄いスポンジ層を設けることも可能である。
【０００７】
この考案に係るメッシュ付きブラコップによれば、通気性が高くて洗濯しても変形せず、且つ胸の美感が向上し、ブラコップの使用寿命が長く延びる。
【考案を実施するための最良の形態】
【０００８】
以下、本考案の実施例を図面に基づいて説明する。
図１は本考案の第１実施例によるメッシュ付きブラコップの分解斜視図であり、図２は本考案の第１実施例によるメッシュ付きブラコップの組立てた状態を示す斜視図であり、図３は本考案の第１実施例の概略図である。
【０００９】
この考案に係るメッシュ付きブラコップは、一ブラコップ本体１と、複数のメッシュ層２とから構成され、図２に示すように前記ブラコップ本体１の前後面にはメッシュ層２が貼り付けてある。これにより、通気性が高くて洗濯しても変形せず、且つ使用者が本考案に係るメッシュ付きブラコップをブラジャー３の図３に示すブラコップマスク３１に入れると、ブラジャー全体の美感が向上する。
【００１０】
図４は本考案の第２実施例を示す分解斜視図であり、図５は本考案の第２実施例の組立てた状態を示す斜視図である。
本考案の第２実施例は、図５に示すように前記ブラコップ本体１とメッシュ層２との間に、より薄いスポンジ層４を設け、スポンジ層４の使用及びメッシュ層２の貼り付けにより、ブラコップ本体１の保護層としての効果が向上する。且つ本実施例に係るメッシュ付きブラコップをブラジャー３にあるブラコップマスク３１に入れると、胸が上へ支えられるので、美観が向上する。本考案に係るメッシュ付きブラコップが洗濯されるときに、ブラコップ本体１の表面にメッシュ層２が貼り付けてあるので、変形することがなく、使用寿命を長く延ばす効果がある。
【００１１】
図６は本考案の第３実施例を示す分解斜視図であり、図７は本考案の第４実施例を示す分解斜視図であり、図８は本考案の第４実施例の適用方式を示す分解斜視図であり、図９は本考案の第４実施例の適用方式を示す概略図であり、図１０は本考案の第５実施例の概略図である。
【００１２】
本考案の第３実施例によるメッシュ付きブラコップは、図６に示すように、スポンジ本体５を使用し、前記スポンジ本体５の前後面にメッシュ層２を貼り付けることも可能である。図７に示すように、スポンジ本体５とメッシュ層２との間に、より薄いスポンジ層４を設けることも可能である。このような構成により、ブラコップは通気性が高くて洗濯しても変形しない。なお、使用者が本考案に係るメッシュ付きブラコップをブラジャー３のブラコップマスク３１（図８と図９を参照）に入れると、ブラジャー全体の美観が向上する（図１０を参照）。
【図面の簡単な説明】
【００１３】
【図１】本考案の第１実施例によるメッシュ付きブラコップを示す分解斜視図である。
【図２】本考案の第１実施例によるメッシュ付きブラコップの組立てた状態を示す斜視図である。
【図３】本案の第１実施例を示す概略図である。
【図４】本考案の第２実施例を示す分解斜視図である。
【図５】本考案の第２実施例の組立てた状態を示す斜視図である。
【図６】本考案の第３実施例の分解斜視図である。
【図７】本考案の第４実施例の分解斜視図である。
【図８】本考案の第４実施例の適用方式を示す分解斜視図である。
【図９】本考案の第４実施例の適用方式を示す概略図である。
【図１０】本考案の第５実施例を示す概略図である。
【符号の説明】
【００１４】
１  ブラコップ本体、２  メッシュ層、３  ブラジャー、４  スポンジ層、５  スポンジ本体、３１  ブラコップマスク
【図１】
0003103411.tif 000003
【図２】
0003103411.tif 000004
【図３】
0003103411.tif 000005
【図４】
0003103411.tif 000006
【図５】
0003103411.tif 000007
【図６】
0003103411.tif 000008
【図７】
0003103411.tif 000009
【図８】
0003103411.tif 000010
【図９】
0003103411.tif 000011
【図１０】
0003103411.tif 000012